(57)【要約】【課題】多層階建ての住宅において、上下階の間で居住者同士のコミュニケーションを図り易くすること。【解決手段】住宅１０は、一階部分１１及び二階部分１２を備える多層階建ての住宅である。一階部分１１にはリビング２３が設けられ、そのリビング２３の天井部には吹き抜け開口部４５が設けられている。その吹き抜け開口部４５を通じて上下階に跨がる空間は吹き抜け空間４３となっている。二階部分１２には、この吹き抜け空間４３に隣接してプレイルーム３３及びスタディエリア３４が設けられている。プレイルーム３３と吹き抜け空間４３との間にはそれら両空間３３，４３を仕切る腰壁部５１が設けられ、スタディコーナ３４と吹き抜け空間４３との間にはそれら両空間３４，４３を仕切る腰壁部５６が設けられている。【選択図】      図３
2017110471.tif 000002
【特許請求の範囲】
【請求項１】
上下に隣接する下階部及び上階部を有してなる多層階建ての住宅において、
前記下階部には、居室空間が設けられており、
前記居室空間の天井部には吹き抜け開口部が設けられ、その吹き抜け開口部を通じて上下階に跨がるとともに前記居室空間の一部を含んでなる吹き抜け空間が形成されており、
前記上階部には、前記吹き抜け空間に隣接して居住者が滞在する滞在空間が設けられ、
前記滞在空間と前記吹き抜け空間との間には、それら両空間を仕切るようにして腰壁部又は手摺部からなる仕切部が設けられていることを特徴とする住宅。
【請求項２】
前記上階部には、前記滞在空間として、第１滞在空間及び第２滞在空間が設けられ、
前記第１滞在空間と前記吹き抜け空間との間には、それら両空間を仕切るように前記仕切部としての第１仕切部が設けられ、
前記第２滞在空間と前記吹き抜け空間との間には、それら両空間を仕切るように前記仕切部としての第２仕切部が設けられていることを特徴とする請求項１に記載の住宅。
【請求項３】
前記第１滞在空間及び前記第２滞在空間は前記吹き抜け空間を挟んだ両側にそれぞれ配置されていることを特徴とする請求項２に記載の住宅。
【請求項４】
前記第１滞在空間は、外壁部により屋外と仕切られており、
前記外壁部は、前記第１滞在空間を挟んで前記第１仕切部と対向して設けられており、
前記外壁部には、前記第１滞在空間への採光を可能とする採光窓部が設けられていることを特徴とする請求項３に記載の住宅。
【請求項５】
前記第２滞在空間を挟んで前記吹き抜け空間とは反対側には、前記下階部と前記上階部とを連絡する階段が設置されているとともに上下階に吹き抜けた階段空間が形成されており、
前記第２滞在空間と前記階段空間との間にはそれら両空間を仕切る仕切体が設けられ、
前記仕切体には、前記第２滞在空間から前記階段空間へ光を取り込み可能な採光部が設けられていることを特徴とする請求項４に記載の住宅。
【請求項６】
前記滞在空間は、子供が所定の目的で滞在する子供用スペースであることを特徴とする請求項１乃至５のいずれか一項に記載の住宅。
【請求項７】
前記子供用スペースは、子供が勉強する際に利用するスタディスペースであり、
前記仕切部には、前記スタディスペースに向けて張り出すように机天板が取り付けられていることを特徴とする請求項６に記載の住宅。
【発明の詳細な説明】
【技術分野】
【０００１】
本発明は、下階部と上階部とを備える多層階建ての住宅に関するものである。
【背景技術】
【０００２】
下階部と上階部とを備える多層階建ての住宅では、下階部にリビングが設けられ、上階部に子供部屋が設けられている場合がある（例えば特許文献１参照）。
【先行技術文献】
【特許文献】
【０００３】
【特許文献１】特開２００３−４９５５０号公報
【発明の概要】
【発明が解決しようとする課題】
【０００４】
上述のような住宅では、下階部において親がリビングでくつろいでいる際に、上階部において子供が子供部屋にこもっている場合がある。このような場合には、下階部にいる親と上階部にいる子供との間で会話等をしてコミュニケーションを図るのが困難となる。つまり、多層階建ての住宅では、上下階の間で居住者同士が互いにコミュニケーションを図るのが困難であると考えられる。
【０００５】
本発明は、上記事情に鑑みてなされたものであり、多層階建ての住宅において、上下階の間で居住者同士のコミュニケーションを図り易くすることを主たる目的とするものである。
【課題を解決するための手段】
【０００６】
上記課題を解決すべく、第１の発明の住宅は、上下に隣接する下階部及び上階部を有してなる多層階建ての住宅において、前記下階部には、居室空間が設けられており、前記居室空間の天井部には吹き抜け開口部が設けられ、その吹き抜け開口部を通じて上下階に跨がるとともに前記居室空間の一部を含んでなる吹き抜け空間が形成されており、前記上階部には、前記吹き抜け空間に隣接して居住者が滞在する滞在空間が設けられ、前記滞在空間と前記吹き抜け空間との間には、それら両空間を仕切るようにして腰壁部又は手摺部からなる仕切部が設けられていることを特徴とする。
【０００７】
本発明によれば、下階部に設けられた居室空間の天井部に吹き抜け開口部が設けられていることで、その吹き抜け開口部を通じて上下階に跨がる吹き抜け空間が形成されている。上階部には、この吹き抜け空間に隣接して滞在空間が設けられ、その滞在空間と吹き抜け空間との間にはそれら両空間を仕切るように仕切部が設けられている。ここで、仕切部は腰壁部又は手摺部からなるため、その仕切部の上方を通じて滞在空間と吹き抜け空間とが互いに連通されている。かかる構成では、下階部にて居室空間に滞在する居住者と、上階部にて滞在空間に滞在する居住者とが吹き抜け空間を通じて会話をする等互いにコミュニケーションを図ることが可能となる。つまり、この場合、多層階建ての住宅において、上下階の間で居住者同士のコミュニケーションを図り易くすることが可能となる。
【０００８】
第２の発明の住宅は、第１の発明において、前記上階部には、前記滞在空間として、第１滞在空間及び第２滞在空間が設けられ、前記第１滞在空間と前記吹き抜け空間との間には、それら両空間を仕切るように前記仕切部としての第１仕切部が設けられ、前記第２滞在空間と前記吹き抜け空間との間には、それら両空間を仕切るように前記仕切部としての第２仕切部が設けられていることを特徴とする。
【０００９】
本発明によれば、上階部に吹き抜け空間に隣接して第１滞在空間及び第２滞在空間が設けられ、これら各滞在空間と吹き抜け空間との間の各仕切部がいずれも腰壁部又は手摺部により構成されている。この場合、下階部にて居室空間に滞在する居住者と、上階部にて第１滞在空間又は第２滞在空間に滞在する居住者とが吹き抜け空間を通じて互いにコミュニケーションを図ることができるとともに、各滞在空間に滞在する居住者同士が吹き抜け空間を介して互いにコミュニケーションを図ることも可能となる。
【００１０】
第３の発明の住宅は、第２の発明において、前記第１滞在空間及び前記第２滞在空間は前記吹き抜け空間を挟んだ両側にそれぞれ配置されていることを特徴とする。
【００１１】
本発明によれば、第１滞在空間と第２滞在空間とが吹き抜け空間を挟んだ両側に互いに隔てて配置されているため、各滞在空間を異なる目的（用途）で利用するに際して都合がよい。
【００１２】
第４の発明の住宅は、第３の発明において、前記第１滞在空間は、外壁部により屋外と仕切られており、前記外壁部は、前記第１滞在空間を挟んで前記第１仕切部と対向して設けられており、前記外壁部には、前記第１滞在空間への採光を可能とする採光窓部が設けられていることを特徴とする。
【００１３】
本発明によれば、第１滞在空間を挟んで第１仕切部と対向する外壁部に採光窓部が設けられているため、その採光窓部を通じて第１滞在空間に自然光（太陽光）が取り込まれると、その取り込まれた自然光が腰壁部又は手摺部からなる第１仕切部の上方を通じて吹き抜け空間に取り込まれ、さらには腰壁部又は手摺部からなる第２仕切部の上方を通じて第２滞在空間に取り込まれる。したがって、この場合、外壁部に隣接する第１滞在空間だけでなく、外壁部から離れた位置にある吹き抜け空間及び第２滞在空間にも自然光を取り込むことが可能となる。
【００１４】
第５の発明の住宅は、第４の発明において、前記第２滞在空間を挟んで前記吹き抜け空間とは反対側には、前記下階部と前記上階部とを連絡する階段が設置されているとともに上下階に吹き抜けた階段空間が形成されており、前記第２滞在空間と前記階段空間との間にはそれら両空間を仕切る仕切体が設けられ、前記仕切体には、前記第２滞在空間から前記階段空間へ光を取り込み可能な採光部が設けられていることを特徴とする。
【００１５】
本発明によれば、第２滞在空間を挟んで吹き抜け空間とは反対側に階段が設置された階段空間が設けられ、その階段空間と第２滞在空間とを仕切る仕切体に採光部が設けられている。この場合、外壁部の採光窓部より第１滞在空間、吹き抜け空間及び第２滞在空間に取り込まれる自然光がさらに第２滞在空間から仕切体の採光部を通じて階段空間にも取り込まれる。このため、外壁部から大きく離れた位置にある階段空間にも自然光を取り込むことが可能となる。
【００１６】
第６の発明の住宅は、第１乃至第５のいずれかの発明において、前記滞在空間は、子供が所定の目的で滞在する子供用スペースであることを特徴とする。
【００１７】
本発明によれば、下階部にて居室空間に滞在する親と、上階部にて子供用スペースに滞在する子供とが、吹き抜け空間を通じて会話をする等コミュニケーションを図ることが可能となる。したがって、この場合、上下階の間で親子間のコミュニケーションを図り易くすることができる。
【００１８】
なお、子供用スペースとしては、子供が遊ぶために利用するプレイスペースや、子供が勉強するために利用するスタディスペース等が挙げられる。
【００１９】
第７の発明の住宅は、第６の発明において、前記子供用スペースは、子供が勉強する際に利用するスタディスペースであり、前記仕切部には、前記スタディスペースに向けて張り出すように机天板が取り付けられていることを特徴とする。
【００２０】
本発明によれば、仕切部に机天板が取り付けられているため、子供が勉強する際にはその机天板を利用することができる。また、机天板はスタディスペースに向けて張り出すように設けられているため、子供が机天板を利用する際には子供が吹き抜け空間を向くことになる。このため、上階部で勉強している子供と下階部にいる親とが吹き抜け空間を通じてコミュニケーションを図る上で好都合な構成となっている。
【図面の簡単な説明】
【００２１】
【図１】住宅の一階部分の間取りを示す平面図。
【図２】住宅の二階部分の間取りを示す平面図。
【図３】住宅の内部構成を示す概略縦断面図。
【発明を実施するための形態】
【００２２】
以下に、本発明を具体化した一実施の形態について図面を参照しつつ説明する。本実施形態では、住宅として二階建てからなるユニット式住宅について具体化している。ユニット式住宅は、天井梁、床梁及び柱を有してなる直方体状の建物ユニットが複数組み合わされることにより構成されている。図１は、その住宅の一階部分の間取りを示す平面図である。図２は、二階部分の間取りを示す平面図である。図３は、住宅の内部構成を示す概略縦断面図である。なお、図３は、図１のＡ−Ａ線断面図及び図２のＢ−Ｂ線断面図に相当する。
【００２３】
図３に示すように、住宅１０は、下階部としての一階部分１１と、上階部としての二階部分１２とを備える。二階部分１２の上方には、屋根部１３が設けられている。屋根部１３は、片流れ屋根と陸屋根との組み合わせからなる。
【００２４】
図１に示すように、一階部分１１は、横並びに設けられた複数の建物ユニット１５により構成されている。図１では、建物ユニット１５の四隅に配設された柱１６のみ図示している（図２も同様）。一階部分１１には、屋内空間として、玄関２１と、玄関ホール２２と、リビング２３と、ダイニング２４と、キッチン２５と、浴室２６と、洗面室２７と、トイレ２８と、趣味室２９とが設けられている。リビング２３とダイニング２４とキッチン２５とは互いに連続した連続空間となっている。この連続空間はいわゆるＬＤＫ空間と呼ばれるものである。
【００２５】
図２に示すように、二階部分１２は、一階部分１１と同様、横並びに設けられた複数の建物ユニット１５により構成されている。二階部分１２には、屋内空間として、寝室３１，３２と、プレイルーム３３と、スタディコーナ３４と、トイレ３５と、ウォークインクローゼット３６と、廊下３７とが設けられている。各寝室３１，３２のうち、寝室３１は親用の主寝室となっており、寝室３２は子供用の寝室となっている。また、二階部分１２には、上記屋内空間の他に、寝室３１に隣接してバルコニー３８が設けられている。
【００２６】
住宅１０には、一階部分１１と二階部分１２とを連絡する階段４１が設けられている。階段４１は廻り階段からなり、階段室４２に設置されている。階段室４２は、一階部分１１と二階部分１２とに跨がって上下に延びる縦長の空間となっている。なお、階段室４２が階段空間に相当する。
【００２７】
住宅１０には、一階部分１１と二階部分１２とに跨がる縦長空間として、上記階段室４２の他に、吹き抜け空間４３が設けられている。以下においては、この吹き抜け空間４３周辺の間取りについて説明する。
【００２８】
一階部分１１において、リビング２３の天井部の一部には吹き抜け開口部４５が設けられている。吹き抜け開口部４５は、リビング２３と二階部分１２の屋内空間とを上下に連通するよう形成されている。換言すると、リビング２３と二階部分１２の屋内空間との間にはそれら両空間を上下に仕切る階間部分４６が設けられ、その階間部分４６を上下に貫通するように吹き抜け開口部４５が形成されている。また、吹き抜け開口部４５は、平面視において矩形形状をなしており、より詳しくは長方形状をなしている。
【００２９】
住宅１０には、上記の吹き抜け開口部４５を通じて一階部分１１と二階部分１２とに跨がる吹き抜け空間４３が形成されている。この場合、吹き抜け空間４３は、リビング２３の一部を含んで形成されている。なお、図３には、吹き抜け空間４３の外縁が二点鎖線で示されている。また、吹き抜け空間４３には、上記階段室４２とは異なり、一階部分１１と二階部分１２とを連絡する階段が設けられていない。
【００３０】
リビング２３には、複数人掛け（詳しくは３人掛け）のソファ４７が設置されている。ソファ４７は、吹き抜け開口部４５の下方（真下）に配置され、詳しくはその一部が吹き抜け開口部４５の真下に位置するよう配置されている。ソファ４７は、平面視において、その長手方向（横幅方向）を吹き抜け開口部４５の短手方向に向けた状態で配置されている。
【００３１】
二階部分１２には、吹き抜け空間４３に隣接してプレイルーム３３（プレイスペース）とスタディコーナ３４（スタディスペース）とが設けられている。プレイルーム３３とスタディコーナ３４とは吹き抜け空間４３を挟んで互いに反対側に配置されている。詳しくは、プレイルーム３３とスタディコーナ３４とは吹き抜け空間４３の（平面視）短手方向（換言すると南北方向）において当該吹き抜け空間４３を挟んだ両側にそれぞれ配置されている。なお、プレイルーム３３が第１滞在空間に相当し、スタディコーナ３４が第２滞在空間に相当する。
【００３２】
プレイルーム３３は、子供が遊ぶ際に利用される子供用スペースとなっており、吹き抜け空間４３の南側に隣接して配置されている。プレイルーム３３と吹き抜け空間４３との境界部には、これら両空間３３，４３を互いに仕切るようにして腰壁部５１が設けられている。腰壁部５１は、プレイルーム３３の床部から上方に立ち上がるように設けられている。この腰壁部５１の上方を通じてプレイルーム３３と吹き抜け空間４３とが互いに連通されている。なお、腰壁部５１が第１仕切部に相当する。
【００３３】
プレイルーム３３は外壁部５２を隔てて屋外と隣接している。外壁部５２は、プレイルーム３３の南側及び西側にそれぞれ設けられており、これらの外壁部５２のうち南側の外壁部５２ａはプレイルーム３３を挟んで腰壁部５１と対向している。この南側の外壁部５２ａには、プレイルーム３３と屋外とを連通する窓部５３が形成されている。窓部５３は、その下端部が腰壁部５１の上端部と略同じ高さ位置に設定され、その上端部がプレイルーム３３の天井面と略同じ高さ位置に設定されている。この場合、この窓部５３を通じてプレイルーム３３に屋外から自然光（太陽光）が採り込まれるようになっている。また、窓部５３には、当該窓部５３を開閉するガラス戸５４が設けられている。なお、窓部５３が採光窓部に相当する。
【００３４】
スタディコーナ３４は、子供が勉強する際に利用される子供用スペースとなっており、吹き抜け空間４３の北側に隣接して配置されている。スタディコーナ３４と吹き抜け空間４３との境界部には、これら両空間３４，４３を互いに仕切るようにして腰壁部５６が設けられている。腰壁部５６は、スタディコーナ３４の床部から上方に立ち上がるように設けられ、上記の腰壁部５１と吹き抜け空間４３を挟んで対向している。この腰壁部５６の上方を通じてスタディコーナ３４と吹き抜け空間４３とが互いに連通されている。なお、腰壁部５６が第２仕切部に相当する。
【００３５】
ここで、窓部５３よりプレイルーム３３に取り込まれる自然光は腰壁部５１の上方を通じて吹き抜け空間４３に取り込まれ、さらには腰壁部５６の上方を通じてスタディコーナ３４に取り込まれるようになっている。そのため、スタディコーナ３４は住宅１０の内部側に配置されているにも関わらず、屋外からの自然光が取り込まれるようになっている。
【００３６】
スタディコーナ３４には、子供が勉強する際に利用可能な机部５７及び椅子部５８が設けられている。机部５７は、矩形形状（詳しくは長方形状）をなす木製の平板からなる。机部５７は、腰壁部５６からスタディコーナ３４に向けて略水平に延びるように設けられ、その端辺部詳しくは長辺部が腰壁部５６に固定されている。この場合、机部５７は、腰壁部５６により片持ち支持された机天板として構成されている。また、机部５７は、その長手方向の長さが腰壁部５６の長さと略同じとなっている。
【００３７】
吹き抜け空間４３の東側には廊下３７が隣接して設けられている。廊下３７はプレイルーム３３とスタディコーナ３４とを繋いでおり、階段４１に通じている。廊下３７と吹き抜け空間４３との境界部には、これら両空間３７，４３を互いに仕切るようにして腰壁部６１が設けられている。腰壁部６１は、廊下３７の床部から上方に立ち上がるように設けられ、上記各腰壁部５１，５６を繋いでいる。この腰壁部５６の上方を通じて廊下３７と吹き抜け空間４３とが互いに連通されている。
【００３８】
吹き抜け空間４３の西側には寝室３２が隣接して設けられている。寝室３２は、吹き抜け空間４３に加えてスタディコーナ３４にも隣接している。寝室３２は、吹き抜け空間４３及びスタディコーナ３４と間仕切壁６２により仕切られている。間仕切壁６２には、スタディコーナ３４から寝室３２へ出入りするための出入口６３が設けられている。出入口６３には、当該出入口６３を開閉するドア６４が設けられている。
【００３９】
スタディコーナ３４を挟んで吹き抜け空間４３とは反対側には階段室４２が設けられている。階段室４２は、スタディコーナ３４の北側に隣接して設けられている。この場合、吹き抜け空間４３とスタディコーナ３４と階段室４２とが一方向（南北方向）に並んで配置されており、ひいてはプレイルーム３３と吹き抜け空間４３とスタディコーナ３４と階段室４２とが一方向（南北方向）に並んで配置されている。
【００４０】
スタディコーナ３４と階段室４２との間にはそれら両空間３４，４２を仕切る仕切体６６が設けられている。仕切体６６は、スタディコーナ３４を挟んで腰壁部５６と対向している。仕切体６６は縦格子からなり、横並びで配置された複数の縦材６６ａを有している。仕切体６６において隣り合う縦材６６ａ同士の間はスタディコーナ３４と階段室４２とを連通する連通部６７となっている。この場合、外壁部５２ａの窓部５３から各腰壁部５１，５６の上方を通じてスタディコーナ３４に取り込まれる自然光はこの連通部６７を通じて階段室４２にも取り込まれるようになっている。なお、連通部６７が採光部に相当する。
【００４１】
階段室４２は外壁部６８を隔てて屋外と隣接している。外壁部６８は、階段室４２の北側に設けられ、仕切体６６と階段室４２を挟んで対向している。外壁部６８には、階段室４２と屋外とを連通する窓部７１が形成されている。窓部７１は、ハイサイドライト窓として構成されている。窓部７１には、当該窓部７１を開閉するガラス戸７２が設けられている。
【００４２】
以上、詳述した本実施形態の構成によれば、以下の優れた効果が得られる。
【００４３】
一階部分１１のリビング２３の天井部に吹き抜け開口部４５を設けることで、その吹き抜け開口部４５を通じて一階部分１１及び二階部分１２に跨がる吹き抜け空間４３を形成した。また、二階部分１２には、吹き抜け空間４３に隣接させてプレイルーム３３及びスタディコーナ３４を設け、プレイルーム３３及びスタディコーナ３４と吹き抜け空間４３との間には腰壁部５１，５６を設けた。この場合、腰壁部５１，５６の上方を通じてプレイルーム３３及びスタディコーナ３４が吹き抜け空間４３と連通されているため、一階部分１１のリビング２３に滞在する居住者（例えば親）と、二階部分１２のプレイルーム３３又はスタディコーナ３４に滞在する居住者（例えば子供）とが吹き抜け空間４３を通じて会話をする等互いにコミュニケーションを図ることが可能となる。したがって、この場合、二階建ての住宅において、一階部分１１と二階部分１２との間で居住者同士のコミュニケーションを図り易くすることが可能となる。
【００４４】
また、二階部分１２に、吹き抜け空間４３に隣接させてプレイルーム３３及びスタディコーナ３４を設けたため、プレイルーム３３に滞在する居住者とスタディコーナ３４に滞在する居住者とが吹き抜け空間４３を介して互いにコミュニケーションを図ることも可能となる。
【００４５】
プレイルーム３３とスタディコーナ３４とを吹き抜け空間４３を挟んだ両側にそれぞれ配置した。この場合、プレイルーム３３とスタディコーナ３４とが互いに離間して配置されているため、これら各空間３３，３４を異なる目的（用途）で利用する上で都合がよい。
【００４６】
吹き抜け空間４３に隣接する滞在空間として子供用スペースであるプレイルーム３３とスタディコーナ３４とを設けたため、一階部分１１のリビング２３に滞在する親と、二階部分１２にてプレイルーム３３又はスタディコーナ３４に滞在する子供とが吹き抜け空間４３を通じて会話する等コミュニケーションを図ることが可能となる。したがって、この場合、一階部分１１と二階部分１２との間で親子間のコミュニケーションを図り易くすることができる。
【００４７】
スタディコーナ３４と吹き抜け空間４３とを仕切る腰壁部５６に机天板からなる机部５７を取り付けたため、子供がスタディコーナ３４で勉強する際にはその机部５７を利用することができる。また、机部５７をスタディコーナ３４に向けて張り出すように設けたため、子供が机部５７を利用する際には子供が吹き抜け空間４３を向くことになる。このため、二階部分１２で勉強している子供と一階部分１１にいる親とが吹き抜け空間４３を通じてコミュニケーションを図る上で好都合な構成となっている。
【００４８】
リビング２３において吹き抜け開口部４５の真下にソファ４７を設置した。この場合、居住者（親）がソファ４７に座りながら、二階部分１２のプレイルーム３３やスタディコーナ３４に滞在する居住者（子供）とコミュニケーションを図ることができる。
【００４９】
また、ソファ４７を、その長手方向がプレイルーム３３とスタディコーナ３４とが並ぶ並び方向と同方向となるように配置した。この場合、ソファ４７に座った居住者からするとプレイルーム３３とスタディコーナ３４とがそれぞれ左上、右上に位置することになるため、居住者（親）がソファ４７に座りながらこれら両空間３３，３４に滞在する居住者（子供）とコミュニケーションを図る上で都合がよい。
【００５０】
プレイルーム３３を挟んで腰壁部５１と対向する南側の外壁部５２ａに窓部５３を設け、その窓部５３を通じてプレイルーム３３に自然光（太陽光）を取り込むようにした。この場合、プレイルーム３３に取り込まれた自然光は腰壁部５１の上方を通じて吹き抜け空間４３に取り込まれ、さらには腰壁部５６の上方を通じてスタディコーナ３４に取り込まれる。したがって、この場合、南側の外壁部５２ａに隣接するプレイルーム３３だけでなく、外壁部５２ａから離れた位置にある吹き抜け空間４３及びスタディコーナ３４にも自然光を取り込むことが可能となる。また、吹き抜け空間４３に自然光が取り込まれることから、その自然光を一階部分１１のリビング２３にも取り込むことが可能となる。
【００５１】
スタディコーナ３４を挟んで吹き抜け空間４３とは反対側に階段４１が設置された階段室４２を設け、その階段室４２とスタディコーナ３４とを仕切る仕切体６６を縦格子により構成した。つまり、仕切体６６を縦格子により構成することで、仕切体６６に階段室４２とスタディコーナ３４とを連通する連通部６７を設けた。この場合、南側の外壁部５２ａの窓部５３よりプレイルーム３３、吹き抜け空間４３及びスタディコーナ３４に取り込まれる自然光がさらにスタディコーナ３４から仕切体６６の連通部６７を通じて階段室４２にも取り込まれる。このため、南側の外壁部５２ａから大きく離れた位置（換言すると北側の外壁部６８に隣接した位置）にある階段室４２にも自然光を取り込むことが可能となる。
【００５２】
階段室４２を挟んで仕切体６６と対向する北側の外壁部６８に窓部７１を設けた。この場合、南側の外壁部５２ａの窓部５３よりプレイルーム３３に取り込まれた風を各腰壁部５１，５６の上方と仕切体６６の連通部６７とを通じて階段室４２へ導くとともに、北側の外壁部６８の窓部７１より屋外に排出することができる。つまり、この場合、二階部分１２において、プレイルーム３３→吹き抜け空間４３→スタディコーナ３４→階段室４２へと風が流れる通風経路を形成することができる。このため、通風性の向上を図ることができる。なお、この通風経路を上記とは逆向きに風が流れる場合も想定されうる。
【００５３】
本発明は上記実施形態に限らず、例えば次のように実施されてもよい。
【００５４】
（１）上記実施形態では、プレイルーム３３と吹き抜け空間４３との間に腰壁部５１（第１仕切部に相当）を設け、スタディコーナ３４と吹き抜け空間４３との間に腰壁部５６（第２仕切部に相当）を設けたが、これらの腰壁部５１，５６のうち少なくともいずれかの腰壁部を手摺部（仕切部に相当）に変更してもよい。この場合、手摺部としては、横並びに設けられた複数の手摺支柱と、それら手摺支柱の上端部に跨がって延びる手摺棒とを有したものが考えられる。かかる構成では、隣り合う手摺支柱の間を通じてプレイルーム３３（又はスタディコーナ３４）と吹き抜け空間４３とが互いに連通されるため、一階部分１１に滞在する居住者と二階部分１２のプレイルーム３３（又はスタディコーナ３４）に滞在する居住者とが吹き抜け空間４３を通じてより一層コミュニケーションを図り易くなる。
【００５５】
（２）上記実施形態では、プレイルーム３３とスタディコーナ３４とを吹き抜け空間４３を挟んだ両側（反対側）に配置したが、これら両空間３３，３４の配置の仕方は必ずしもこれに限らない。例えばプレイルーム３３とスタディコーナ３４とを互いに隣接させて配置してもよい。この場合、これら両空間３３，３４を平面視でＬ字状をなすように配置することが考えられる。
【００５６】
（３）上記実施形態では、二階部分１２に、吹き抜け空間４３に隣接する滞在空間として子供用のプレイルーム３３及びスタディコーナ３４を設けたが、かかる滞在空間は必ずしも子供用スペースである必要はない。例えば、かかる滞在空間として、父親が利用する書斎や、母親が利用する趣味室等を設けてもよい。その場合、一階部分１１のリビング２３に滞在する居住者と、二階部分１２の書斎や趣味室等に滞在する居住者（父親や母親）とが吹き抜け空間４３を通じて互いにコミュニケーションを図ることが可能となる。
【００５７】
また、吹き抜け空間４３に隣接する滞在空間として、プレイルーム３３及びスタディコーナ３４に加え、さらに他の滞在空間（例えば、子供部屋など）を設けてもよい。つまり、吹き抜け空間４３に隣接させて３つ以上の滞在空間を設けてもよい。また、かかる滞在空間を１つだけ設けるようにしてもよい。
【００５８】
（４）上記実施形態では、階段室４２とスタディコーナ３４とを仕切る仕切体６６を縦格子により構成したが、仕切体６６は必ずしも縦格子により構成する必要はない。例えば、仕切体６６を間仕切壁により構成し、その間仕切壁に階段室４２とスタディコーナ３４とを連通する窓部を設けてもよい。その場合にも、その窓部を通じてスタディコーナ３４から階段室４２に自然光を取り込むことが可能となる。なお、この場合、窓部が採光部に相当する。また、仕切体６６に、かかる採光部を設けないようにしてもよい。
【００５９】
（５）上記実施形態では、二階建ての住宅１０に本発明を適用したが、三階建て以上の住宅に本発明を適用してもよい。例えば、三階建ての住宅において、二階部分にリビングを設けるとともに、そのリビングの天井部に吹き抜け開口部を設けることで二階部分と三階部分とに跨がる吹き抜け空間を形成し、そして三階部分にその吹き抜け空間に隣接して滞在空間を設けることが考えられる。
【符号の説明】
【００６０】
１０…住宅、１１…下階部としての一階部分、１２…上階部としての二階部分、２３…居室空間としてのリビング、３３…第１滞在空間及び子供用スペースとしてのプレイルーム、３４…第２滞在空間及び子供用スペースとしてのスタディコーナ、４１…階段、４２…階段空間としての階段室、４３…吹き抜け空間、４５…吹き抜け開口部、５１…第１仕切部としての腰壁部、５２ａ…外壁部、５３…採光窓部としての窓部、５６…第２仕切部としての腰壁部、５７…机天板としての机部、６６…仕切体、６７…採光部としての連通部。
【図１】
2017110471.tif 000003
【図２】
2017110471.tif 000004
【図３】
2017110471.tif 000005